(57)【要約】【課題】例えば、車載用計器装置にオプションユニットを追加装備する際、カバーに設けた所定部が計器装置内部に侵入することを防止すると共に、所定部を除去する際の作業効率を向上させることができる車載用計器装置およびその製造方法を提供すること。【解決手段】所定の表示器１１と、この表示器１１を作動させる回路基板４と、この回路基板４を覆うカバー３とを有し、前記カバー３の所定部２１を除去することにより前記回路基板４の一部を露出可能に設けた車載用計器装置であって、除去した前記所定部２１のカバー３内部への侵入を規制する規制部２４を設けたものである。【選択図】  図２
2004210038.tif 000002
【特許請求の範囲】
【請求項１】
所定の表示器と、この表示器を作動させる回路基板と、この回路基板を覆うカバーとを有し、前記カバーの所定部を除去することにより前記回路基板の一部を露出可能に設けた車載用計器装置であって、除去した前記所定部のカバー内部への侵入を規制する規制部を設けたことを特徴とする車載用計器装置。
【請求項２】
前記規制部が前記所定部に形成した突部からなることを特徴とする請求項１記載の車載用計器装置。
【請求項３】
前記規制部が前記所定部を包囲するように前記カバーに設けられたリブからなることを特徴とする請求項１記載の車載用計器装置。
【請求項４】
前記所定部は複数のスリットとこれらスリット間に介在する繋ぎ部を介して前記カバーに連続しており、前記繋ぎ部を切断することにより除去片が形成されることを特徴とする請求項１記載の車載用計器装置。
【請求項５】
前記カバーの所定部を除去することにより露出する前記回路基板箇所には、所定部品の装着を可能とする部品装着部が設けられていることを特徴とする請求項１記載の車載用計器装置。
【請求項６】
所定の表示器と、この表示器を作動させる回路基板と、この回路基板を覆うカバーとを有し、前記カバーの所定部を除去して前記回路基板の一部を露出させる車載用計器装置の製造方法であって、除去した前記所定部のカバー内部への侵入を規制する規制部を設けた後、前記カバーの所定部を除去することを特徴とする車載用計器装置の製造方法。
【発明の詳細な説明】
【０００１】
【発明の属する技術分野】
本発明は、自動車や二輪車などの車両に装備される速度計や回転計などの指示計器や車両の各部の異常などを表示で知らせる警報表示器などの各種表示器を搭載した車載用計器装置およびその製造方法に関するものである。
【０００２】
【従来の技術】
従来の車載用計器装置は、図４〜図６（図５は図４のＸ―Ｘ’断面図および図６のＹ―Ｙ’断面図）に示すように速度計ユニット１１１や回転計ユニット１１２などの指示計器と、電子部品が実装され前記指示計器を作動させる回路基板１０４を、リヤカバー１０３と、フロントカバー１０１と、上ハウジング１０２とにより構成されるハウジング内に収納したものが知られている。（例えば、特許文献１参照）
【０００３】
【特許文献１】
特開平８−２７６７６４号公報
【０００４】
そして、このような車載用計器装置において、標準装備された指示計器や警報表示器とは別に、例えば、ユーザーが希望する場合にはオプションユニットとしてキーレススイッチやオートライトなどの電装品を後付けしたり、あるいは、キャンピングカーを牽引する必要のあるユーザー向けに、キャンピングカーを牽引中であることを検出した場合には、表示部１１３にキャンピングカーを牽引中であることを報知させるための警報ランプを後付けすることがある。
【０００５】
また、表示部１１３が液晶表示器からなる場合には、ユーザーが希望する警報表示を液晶表示器にて行うために、液晶表示器を駆動する制御プログラムを格納した記憶素子の記憶内容を書き換えることもある。
【０００６】
このようなオプション部品の追加やプログラム変更を可能とするため、従来、リヤカバー１０３の一部にスリット１２３及び繋ぎ部１２２を介して連設するオプション用カバー（所定部）１２１を設け、このオプション用カバー１２１をカッターやニッパなどで切断して取り除くことにより、予め回路基板１０４に設けられたオプションユニット装着部（部品装着部）１３２、またはプログラム変更用外部回路のコネクターを装着可能なコネクター装着部（部品装着部）１３２を露出させることができるように構成されている。
【０００７】
【発明が解決しようとする課題】
しかしながら、前述のようにオプション用カバー１２１を切断して取り除く際に、誤ってオプション用カバー１２１をリヤカバー１０３の内側に落としてしまい除去できなくなる場合がある。この場合、オプション用カバー１２１がリヤカバー１０３と回路基板１０４の間に異物として残留することになり、異音の発生源となったり、あるいは照明機能や表示機能の障害となる可能性がある。
【０００８】
本発明は、前記従来の課題を解決するために、カバー（リヤカバー）の所定部を除去した際、その除去片（オプション用カバー）が計器装置内部に侵入することを防止することができる車載用計器装置およびその製造方法を提供することを目的とする。
【０００９】
【課題を解決するための手段】
本発明は前記目的を達成するため、所定の表示器と、この表示器を作動させる回路基板と、この回路基板を覆うカバーとを有し、前記カバーの所定部を除去することにより前記回路基板の一部を露出可能に設けた車載用計器装置であって、除去した前記所定部のカバー内部への侵入を規制する規制部を設けたものである。
【００１０】
また、前記規制部が前記所定部に形成した突部からなるものである。
【００１１】
また、前記規制部が前記所定部を包囲するように前記カバーに設けられたリブからなるものである。
【００１２】
また、前記所定部は複数のスリットとこれらスリット間に介在する繋ぎ部を介して前記カバーに連続しており、前記繋ぎ部を切断することにより除去片が形成されるものである。
【００１３】
また、前記カバーの所定部を除去することにより露出する前記回路基板箇所には、所定部品の装着を可能とする部品装着部が設けられているものである。
【００１４】
また、所定の表示器と、この表示器を作動させる回路基板と、この回路基板を覆うカバーとを有し、前記カバーの所定部を除去して前記回路基板の一部を露出させる車載用計器装置の製造方法であって、除去した前記所定部のカバー内部への侵入を規制する規制部を設けた後、前記カバーの所定部を除去するものである。
【００１５】
【発明の実施の形態】
本発明の車載用計器装置は、所定の表示器と、この表示器を作動させる回路基板と、この回路基板を覆うカバーとを有し、前記カバーの所定部を除去することにより前記回路基板の一部を露出可能に設けた車載用計器装置であって、除去した前記所定部のカバー内部への侵入を規制する規制部を設けたものである。このように構成したことにより、例えば、車載用計器装置にオプションユニットを追加装備したり、プログラム修正を行うにあたり、所定部を除去しても、その除去片が計器装置内部に侵入することを防止できると共に、所定部（オプション用カバー）が計器装置内部に侵入することを防止できるので、所定部（オプション用カバー）を除去する際、従来のように所定部（オプション用カバー）を計器装置内部に侵入させないように注意しながら作業をする必要がなく、作業効率を向上させることができる車載用計器装置を提供することができる。
【００１６】
また、本発明の車載用計器装置は、前記規制部が前記所定部に形成した突部からなるものである。このように構成したことにより、所定部に突部を設けるのみの簡単な構成で、所定部（オプション用カバー）を除去する際、繋ぎ部を切断することで容易に所定部（オプション用カバー）を除去でき、所定部（オプション用カバー）がカバー（リヤカバー）の内部に侵入することを防止することができる車載用計器装置を提供することができる。
【００１７】
また、本発明の車載用計器装置は、前記規制部が前記所定部を包囲するように前記カバーに設けられたリブからなるものである。このように構成したことにより、カバーにリブを設けるのみの簡単な構成で、所定部がカバーの内部に侵入することを防止することができる車載用計器装置を提供することができる。
【００１８】
また、本発明の車載用計器装置は、前記所定部は複数のスリットとこれらスリット間に介在する繋ぎ部を介して前記カバーに連続しており、前記繋ぎ部を切断することにより除去片が形成されるものである。このように構成したことにより、繋ぎ部を切断するだけで容易に除去片を形成することができる車載用計器装置を提供することができる。
【００１９】
また、本発明の車載用計器装置は、前記カバーの所定部を除去することにより露出する前記回路基板箇所には、所定部品の装着を可能とする部品装着部が設けられているものである。このように構成したことにより、カバーの所定部を除去することで、部品装着部に所定部品を容易に装着することができる車載用計器装置を提供することができる。
【００２０】
また、本発明の車載用計器装置の製造方法は、所定の表示器と、この表示器を作動させる回路基板と、この回路基板を覆うカバーとを有し、前記カバーの所定部を除去して前記回路基板の一部を露出させる車載用計器装置の製造方法であって、除去した前記所定部のカバー内部への侵入を規制する規制部を設けた後、前記カバーの所定部を除去するものである。このように構成したことにより、例えば、車載用計器装置にオプションユニットを追加装備したり、プログラム修正を行うにあたり、所定部を除去しても、その除去片が計器装置内部に侵入することを防止できると共に、所定部（オプション用カバー）が計器装置内部に侵入することを防止できるので、所定部（オプション用カバー）を除去する際、従来のように所定部（オプション用カバー）を計器装置内部に侵入させないように注意しながら作業をする必要がなく、作業効率を向上させることができる車載用計器装置の製造方法を提供することができる。
【００２１】
【実施例】
以下、本発明の一実施例に係わる車載用計器装置およびその製造方法について、図１乃至図３を参照して説明する。
【００２２】
図１は、本発明の一実施例を示す車載用計器装置の概略の正面図であり、速度計ユニット１１や回転計ユニット１２などの指示計器（表示器）と、車両の各部に異常などが発生した場合等に警報表示する警報表示部（表示器）１４と、標準装備していないがユーザーが希望した場合に装備可能にしてあるオプションユニット（所定部品）を装備した場合に使用するオプション表示部（表示器）１３などを装備している。
【００２３】
図２は、図１のＸ―Ｘ’断面図および図３のＹ―Ｙ’断面図であり、速度計ユニット１１や回転計ユニット１２などの指示計器と、各種電子部品が実装され指示計器を作動させる回路基板４とは、リヤカバー（カバー）３とフロントカバー１と上ハウジング２とにより構成されるハウジングに収納されている。
【００２４】
リヤカバー３には配線用窓３１が形成してあり、回路基板４のコネクター接続端子部に装着されたコネクターが配線用窓３１を通って外部回路に接続されている。
【００２５】
図３は、リヤカバー３の内側正面図であり、各種形状の配線用窓３１が形成されている。必要に応じて除去され所定部となるオプション用カバー２１は、４箇所の繋ぎ部２２と、この繋ぎ部２２を挟むように設けた４箇所のスリット２３で包囲されている。また、オプション用カバー２１の略中央部の両面には突部（規制部）２４を設けたものがある（図２参照）。この突部２４は必要に応じて、片面にのみ突部２４を設ける場合もある。更に、必要によりオプション用カバー２１の周囲を包囲するように、リヤカバー３の内側にリブ（規制部）２５を設ける場合もある。
【００２６】
車載用計器装置において、標準装備された指示計器や警報表示器とは別に、例えば、ユーザーが希望する場合にはオプションユニットとしてキーレススイッチやオートライトなどの電装品を後付けしたり、あるいは、キャンピングカーを牽引する必要のあるユーザー向けに、キャンピングカーを牽引中であることを検出した場合には、オプションユニットとしてオプション表示部１３にキャンピングカーを牽引中であることを報知させるための警報ランプを後付けすることがある。
【００２７】
また、オプション表示部１３が液晶表示器からなる場合には、ユーザーが希望する警報表示を液晶表示器にて行うために、液晶表示器を駆動する制御プログラムを格納した記憶素子の記憶内容を書き換えることもある。
【００２８】
このようなオプションユニットの追加やプログラム変更を可能とするため、リヤカバー３の一部にスリット２３及び繋ぎ部２２を介して連設するオプション用カバー（所定部）２１の４箇所のスリット２３で挟まれた４箇所の繋ぎ部２２をカッターやニッパなどで切断して取り除くことにより、予め回路基板４に設けられたコネクターからなるオプションユニット装着部（部品装着部）３２（図２中、右側）、またはプログラム変更用外部回路（図示しない）のコネクター（所定部品）を装着可能なコネクター装着部（部品装着部）３２（図２中、左側）を露出させることができるように構成されている。そして、部品装着部３２に所定部品なるオプションユニットや外部回路のコネクターを装着して、オプションユニットを使用できるようにしたり、プログラム変更を行う。
【００２９】
次に、リヤカバー３に設けるオプション用カバー２１の構成やオプション用カバー２１の周囲を包囲するように設けるリブ２５に関して詳述する。オプションユニットを使用する場合やプログラム修正を行う場合に、オプション用カバー２１を除去するが、この際、オプション用カバー２１がリヤカバー３の内側に入ってしまうことを防止するために、第１の方法としては、オプション用カバー２１の略中央部の両面に突部２４を設ける。この場合、突部２４の形状や大きさは、切断されたオプション用カバー２１がリヤカバー３の内側に入り込まないように、回路基板４に設けた部品装着部３２とリヤカバー３との隙間（間隔）よりもオプション用カバー２１の上下、左右及び前後の寸法が大きくなるように突部２４の形状や大きさを設定する。なお、前記突部２４の形状や大きさは、オプション用カバー２１の両面に突部２４を設けた場合であるが、オプション用カバー２１の片面に突部２４を設けて突部２４の形状や大きさを設定しても良い。
【００３０】
第２の方法としては、オプション用カバー２１には突部２４を設けずに、オプション用カバー２１の周囲を包囲するようにリヤカバー３の内側にリブ２５を設け、オプション用カバー２１が回路基板４とリブ２５との隙間から内部に入り込まないようにリブ２５の形状や大きさを設定する。この場合、リブ２５の形状はオプション用カバー２１の周囲を完全に包囲せず隙間を設けて立設しても良い。なお、リヤカバー３にリブ２５を設けずに回路基板４にリブ２５を設けても良い。更に、リヤカバー３と回路基板４の双方にリブ２５を設けた構成でも良い。
【００３１】
第３の方法としては、オプション用カバー２１に突部２４を設けると共にオプション用カバー２１の周囲を包囲するようにリヤカバー３の内側にリブ２５を設け、オプション用カバー２１が回路基板４とリブ２５との隙間から内部に入り込まないように、リブ２５の形状や大きさを設定すると同時に突部２４の形状や大きさを設定する。
【００３２】
オプション用カバー２１とスリット２３及び繋ぎ部２２の形状や大きさについては、前述の実施例の説明内容や図示した図面に限定されることなく、適宜、形状や大きさあるいは繋ぎ部２２の個数など自由に設定できる。
【００３３】
前述の実施例では、オプション用カバー２１を除去して、回路基板４に設けてあるコネクター接続端子部３２にコネクター３３を接続した場合について説明したが、オプション用カバー２１を除去して照明用のLED（光源）を回路基板４に設けるようにしても良いし、オプションユニットを作動させるために必要な電子部品を新たに装着するようにしても良い。
【００３４】
また、オプション部品や新規部品の追加に限らず、指示計器や液晶表示器などの表示器の作動プログラムに修正を加えるにあたって、オプション用カバー２１を除去して部品装着部３２に修正用外部回路を接続できるように構成しても良いことは前述の通りである。
【００３５】
【発明の効果】
以上、本発明によれば、例えば、車載用計器装置にオプションユニットを追加装備する際、カバーに設けた除去可能な所定部が計器装置内部に侵入することを防止でき、また、除去した所定部が計器装置内部に侵入することを抑制できるので、従来のように除去片を計器装置内部に侵入させないように注意しながら作業をする必要がなく、作業効率を向上させることができる車載用計器装置および車載用計器装置の製造方法を提供することができる。
【図面の簡単な説明】
【図１】本発明の一実施例に係わる車載用計器装置の概略全体構成を示す正面図である。
【図２】本発明の一実施例に係わる図１に示した車載用計器装置のＸ―Ｘ’断面図である。
【図３】本発明の一実施例に係わる車載用計器装置のリヤカバー内面の正面図である。
【図４】従来の車載用計器装置の概略全体構成を示す正面図である。
【図５】図４に示した従来の車載用計器装置のＸ―Ｘ’断面図である。
【図６】従来の車載用計器装置のリヤカバー内面の正面図である。
【符号の説明】
３      カバー（リヤカバー）
４      回路基板
１１      表示器（速度計）
１２      表示器（回転計）
１３      表示器（オプション表示部）
１４      表示器（警報表示部）
２１      所定部（オプション用カバー）
２２      繋ぎ部
２３      スリット
２４      規制部（突部）
２５      規制部（リブ）
３２      部品装着部
【図１】
2004210038.tif 000003
【図２】
2004210038.tif 000004
【図３】
2004210038.tif 000005
【図４】
2004210038.tif 000006
【図５】
2004210038.tif 000007
【図６】
2004210038.tif 000008